【事件の表示】
　特許第２８９５１０６号「刻印付き装身具用部品とその刻印形成方法」の請求項１、２に係る特許に対する特許異議の申立てについて、次のとおり決定する。
【結　論】
　訂正を認める。
　特許第２８９５１０６号の請求項１ないし２に係る特許を維持する。
【理　由】
１．特許第２８９５１６号の請求項１に係る発明乃び請求項２に係る発明についての出願は、平成１年９月２９日に出願され、平成１１年３月５日に設定登録され、その後、請求項１及び請求項２に係る特許について、特許異議申立人土橋博司より特許異議の申立てがなされ、取消理由通知がなされ、その指定期間内である平成１２年６月１６日に訂正請求がなされ、その後再度の取消理由通知（訂正拒絶理由通知を兼ねる。）がなされ、その指定期間内である平成１２年１２月１日に、平成１２年６月１６日付けの訂正請求を取り下げるとともに、再度の訂正請求がなされたものである。
　　
２．訂正の適否についての判断
２−１　訂正の内容
　平成１２年１２月１日付けの訂正請求において、特許権者の求めている訂正の内容は、以下のとおりである。
ａ．願書に添付した明細書（以下、「特許明細書」という。）の特許請求の範囲の請求項１に記載された
「【請求項１】装飾部を備えた装身具に使用され且つ外周面より凹んだ刻印部が形成されるピンに於いて、前記刻印部分の断面はほぼ円形の外周面形状を有するとともに、前記外周面に沿った円形形状に刻印が形成されていることを特徴とする刻印付き装身具用部品。」を
「【請求項１】装飾部を備えた装身具に使用され且つ外周面より凹んだ刻印部が形成されるピンに於いて、前記刻印部分の断面はほぼ円形の外周面形状を有するとともに、スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されていることを特徴とする刻印付き装身具用部品。」と訂正する。
ｂ．特許明細書の特許請求の範囲の請求項２に記載された
「【請求項２】装飾部を備えた装身具に使用され且つ外周面より凹んだ刻印部が形成されるピンの刻印形成方法に於いて、ワーク受部を有するスライドと、刻印工具を保持するダイより構成される刻印機を構成し、ピンをワーク受部に載置した後、スライドとダイとで前記ピンを転動させて、前記ピンの外周面に沿った円形形状に刻印を形成することを特徴とする装身具用部品の刻印形成方法。」を、
「【請求項２】装飾部を備えた装身具に使用され且つ外周面より凹んだ刻印部が形成されるピンの刻印形成方法に於いて、ワーク受部を有するスライドと、刻印工具を保持する保持部と離脱させる離脱部を有するダイ、より成る刻印機を構成し、ピンをワーク受部に載置した後、スライドとダイとで前記ピンを転動させて、前記ピンの外周面に沿った円形形状に刻印を形成後、前記ピンを前記離脱部より搬出させることを特徴とする装身具用部品の刻印形成方法。」と訂正する。
ｃ．特許明細書の課題を解決するための手段の項に記載された
「〔課題を解決するための手段〕
　上記目的を達成する為の本発明の要旨は、装身具のピンの刻印部分の断面は、ほぼ円形の外周面形状を有するとともに、前記外周面に沿った円形形状に刻印が形成されている装身具用部品であり、その部品であるピンへの刻印方法として、ワーク受部を有するスライドと、刻印工具を保持するダイより構成される刻印機によって、ピンをワーク受部に載置した後、スライドとダイとで前記ピンを転動させて、前記ピンの外周面に沿った円形形状に刻印を形成するものである。」を
「〔課題を解決するための手段〕
　上記目的を達成する為の本発明の要旨は、装身具のピンの刻印部分の断面は、ほぼ円形の外周面形状を有するとともに、スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されている装身具用部品であり、その部品であるピンへの刻印方法として、ワーク受部を有するスライドと、刻印工具を保持する保持部と離脱させる離脱部を有するダイ、より成る刻印機によって、ピンをワーク受部に載置した後、スライドとダイとで前記ピンを転動させて、前記ピンの外周面に沿った円形形状に刻印を形成後、前記ピンを前記離脱部より搬出させる構成を有するものである。」と訂正をする。
　　
２−２　訂正の目的の適否、新規事項の有無及び拡張・変更の存否
（１）訂正事項ａについて
　上記訂正事項ａは、特許明細書の特許請求の範囲の請求項１に記載された「前記外周面に沿った円形形状に刻印が形成されている」を「スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されている」と限定するものである。
　これに関連する記載として、特許明細書の課題を解決するための手段の項には、「ワーク受部を有するスライドと、刻印工具を保持するダイより構成される刻印機」及び「ピンをワーク受部に載置した後、スライドとダイとて前記ピンを転動させて」と記載されており、また、同じく実施例の項には、「刻印を形成しようとするピン２をスライド１７のワーク受け部２４の上に置きスライド１７を下降させると、ピン２はスライド１７とダイ１８とに加圧挟持されてダイ１８の左側面を転動下降する。続けてスライド１７を下降させるとピン２は加圧挟持されたまま刻印突起部１５を通過する。この時刻印突起部１５に依ってピン２の円筒面に沿って刻印による凹部９が形成される」及び「更にスライド１７を下降させると、転造刻印後のビン２０はダイ１８の左側面から外れて刻印形成機より離脱し刻印形成の工程を終了する。」と記載されている。
　すなわち、特許明細書には、スライドのワーク受部に載置したピンをダイとスライド間で転動すること、ダイに保持した刻印工具に対してピンを通過させること、ピンをダイから外すことによりピンはスライドとダイから構成される刻印機から離脱し、刻印形成の工程が終了することが記載されているといえる。
　そうすると、上記ａの訂正は、特許明細書に記載の事項の範囲内において外周面に沿った円形形状に形成される刻印を限定したものといえるから、特許請求の範囲の減縮に該当するものであり、新規事項の追加に該当しない。
　　
（２）訂正事項ｂについて
　上記訂正事項ｂは、特許明細書の特許請求範囲の請求項２記載された「ワーク受部を有するスライドと、刻印工具を保持するダイより構成される刻印機」を「刻印工具を保持する保持部と離脱させる離脱部を有するダイ、より成る刻印機」と訂正するとともに、同じく請求項２に記載された「前記ピンの外周面に沿った円形形状に刻印を形成する」を「前記ピンの外周面に沿った円形形状に刻印を形成後、前記ピンを前記離脱部より搬出させる」と限定するものである。
　上記訂正事項ｂに関連する記載として、特許明細書の課題を解決するための手段の項には、「ワーク受部を有するスライダと、刻印工具を保持するダイより構成される刻印機」と記載され、特許明細書の実施例の項には、「更にスライド１７を下降させると、転造刻印後のビン２０はダイ１８の左側面から外れて刻印形成機より離脱し刻印形成の工程を終了する。」と記載されている。
　そして、ダイは、上記特許明細書に記載されているように、刻印工具を保持しているから、刻印工具を保持する保持部を有しているといえる。
　また、転造刻印後のビン２０は、上記特許明細書に記載されているように、ダイ１８の左側面から外れて刻印形成機より離脱するものであり、ダイは離脱部を有しているといえる。
　さらに、本件の装身具用部品の刻印形成方法は、上記特許明細書に記載されているように、転造刻印後のビン２０はダイ１８の左側面から外れて刻印形成機より離脱し刻印形成の工程を終了するものであり、上記訂正事項「訂正事項ピンの外周面に沿った円形形状に刻印を形成後、ピンを離脱部より搬出させる」は、上記特許明細書の記載から直接的かつ一義的に導かれるものといえる。　
　そうすると、上記ｂの訂正は、特許請求の範囲の減縮に該当するものであり、新規事項の追加に該当しない。
　　
（３）訂正事項ｃについて
　上記ｃの訂正は、特許請求の範囲の請求項１及び請求項２の訂正に伴って、課題を解決するための手段の項を訂正するものであるから、明瞭でない記載の釈明に該当し、上記訂正事項ａ及び訂正事項ｂで検討したと同様、新規事項の追加に該当しない。
（４）そして、上記ａ乃至ｃのいずれの訂正も実質上特許請求の範囲を拡張し、又は変更するものではない。
　　
２−３　独立特許要件について
（１）訂正後の発明
　上記訂正請求に係る訂正明細書に記載された請求項１及び請求項２に係る発明は、それぞれ、訂正明細書の特許請求の範囲の請求項１及び請求項２に記載された次のとおりのものである。
「【請求項１】装飾部を備えた装身具に使用され且つ外周面より凹んだ刻印部が形成されるピンに於いて、前記刻印部分の断面はほぼ円形の外周面形状を有するとともに、スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されていることを特徴とする刻印付き装身具用部品。
【請求項２】装飾部を備えた装身具に使用され且つ外周面より凹んだ刻印部が形成されるピンの刻印形成方法に於いて、ワーク受部を有するスライドと、刻印工具を保持する保持部と離脱させる離脱部を有するダイ、より成る刻印機を構成し、ピンをワーク受部に載置した後、スライドとダイとで前記ピンを転動させて、前記ピンの外周面に沿った円形形状に刻印を形成後、前記ピンを前記離脱部より搬出させることを特徴とする装身具用部品の刻印形成方法。」
　　　
（２）刊行物に記載された事項
　当審において、平成１２年９月２０日付けで通知した取消理由において引用した刊行物１乃至刊行物４並びに特許異議申立人の提出した甲第１号証（以下、「刊行物５」という。）には、それぞれ、次の事項が記載されている。
Ａ．刊行物１：実願昭６０ー６５４７９号（実開昭６１ー１８１５１４号）のマイクロフィルム）
　上記刊行物１には、ピアスに関し、図面とともに、「飾り２２が付いたピン２を耳たぶに差し込むと、キャッチ１の弾性部１４が弾性変形し、係合部１３がピン２の溝１１に係合する。」（第３頁５〜８行）ことが記載されている。
　　
Ｂ．刊行物２：特開昭６３ー６０２６６号公報
  上記刊行物２には、イヤリング等装飾工芸品に関し、「而して、この発明はコインバーやペンダント用等の所定形状の白金素材を物理的な加工を行って・・・装飾工芸品に関する発明であり、・・・白金製装飾工芸品に関する発明である。」（第１頁左下欄１７行〜同頁右下欄４行）こと、「尚、この発明の実施態様は上述実施例に限るものでないことはもちろんであり、例えば、超高温処理後に品質保証やネーミング等の刻印等を付したり、他の宝石を嵌め込む等種々の態様が可能である。又、適用対象はペンダントに限らず・・・、イヤリング・・・用いたり、・・・様々な装飾工芸品にすることが可能であり、又、適用対象はプレートやパネル状に限らず、線状や棒状、・・・にしたりその形態は様々に設計することが可能である。」（第３頁左上欄８〜２０行）ことが記載されている。
　　
Ｃ．刊行物３：実願昭５４ー１６５０８６号（実開昭５６ー８３０９７号）のマイクロフィルム
　上記刊行物３には、転造刻印機に関し、図面とともに、「本考案は、丸棒状または丸パイプ状などの回転可能な断面を有する被加工物の外周上に刻印を打刻せしめる転造刻印機に関する。」（第１頁１３〜１５行）こと、「丸棒状被加工物１の打刻の場合には、円周２上に刻印部３を設けた刻印ローラー４とこれとほぼ同じ径を有する押えローラー５との間に、被加工物支持刃６によって支持された被加工物を挟着し、刻印ローラーおよび押えローラーをいずれも主軸２１を中心として例えば矢印方向の如く同一方向に一回転させることにより、それに伴つて転動する被加工物の外周に刻印ローラーの刻印部を接触させ、被加工物円周上に刻印を打刻せしめる。刻印ローラーに固定してあるいは差換可能なものとして設けられる刻印部の円周長さは、被加工物の全円周の長さと等しいかあるいはそれより短く設定される。」（第２頁９行〜第３頁１行）こと、「このようにして、刻印ロールと押えロールとの間の間隔の調節が容易なため 、本考案に係る転造刻印機は、従来打刻が困難であつた細い丸棒状物または丸パイプ状物から太さの太い被加工物に至る迄任意の太さのものに打刻を可能ならしめる効果を奏する。」（第４頁１２〜１７行）ことが記載されている。
　　
Ｄ．刊行物４：特開昭５７ー７９３１３号公報　                　上記刊行物４には、図面とともに、「第４図および第５図は転造装置９と前記中間素材１３との関係を示す第１実施例で、前記転造装置９は、定位置で回転する支持ロール９２と該支持ロール９２に対して移動し回転できる刻印ロール９１との中間位置に固定したワークレスト９３があり、前記中間素材１３は、まずワークレスト９３の上に置かれ、つぎに刻印ロール９１が支持ロール９２の側に接近し、前記中間素材１３を支持ロール９２とワークレスト９３との間にはさみ込んで押圧回転して前記中間素材１３の外周面にヘリングボーンみぞ３またはスパイラルみぞ４を転造成形し、みぞが一定寸法の深さに達すると前記刻印ロール９１が後退して転造加工を完了する。」（第３頁右上欄７〜１９行）こと、「つぎに、第６図および第７図は前記転造加工の変形実施例である第２実施例および第３実施例を示しており、第６図の第２実施例では前記第１実施例での刻印ロール９１の代りに平面刻印部９６を備えた角形の刻印ブロック９１１を、また、前記支持ロール９２の代りに平面ブロック９２１をそれぞれ用いて中間素材１３を転造するものである。すなわち、支持枠９１２の一方の面に固定した平面ブロック９２１と、対向した他方の面に駆動シリンダー９１３によって摺動可能に取付けた移動スライド９１７に前記刻印ブロック９１１を取付け、該刻印ブロック９１１と平面ブロック９２１の間に前記中間素材１３を位置して前記移動スライド９１７を摺動し、前記中間素材１３の外周面にヘリンダボーンみぞ３またはスパイラルグループ４を転造加工するものである。この実施例においては転造装置９にワークレスト９３が不要であり、装置をコンパクトな構造にできる利点がある。」（第３頁右下欄５行〜第４頁左上欄２行）ことが記載されている。
　　
Ｅ．刊行物５：大新工業製作所「Fluteless press taps」カタログ
　上記刊行物５の第３頁「タッピング　スピード」の項に示された写真には、円形の外周面形状を有する棒状部材に円形形状の外周面に沿って印を形成したものが記載されているといえる。
　　
（３）本件の訂正後の請求項１に係る発明について
　上記訂正請求に係る訂正明細書の特許請求の範囲に記載された請求項１に係る発明（以下、「本件の訂正後の請求項１に係る発明」という。）と上記刊行物１乃至刊行物５に記載されたものを対比、検討する。
　刊行物１には、装飾部を備えた装身具に使用されるピンからなる装身具用部品が記載されているが、ピンに刻印を形成する点は何ら記載されていない。
　刊行物２には、イヤリング等装飾工芸品に関し、線状や棒状物に刻印を形成することが記載されているが、その刻印について、具体的な構成は何ら記載されておらず、本件の訂正後の請求項１に係る発明の構成である、刻印部分の断面はほぼ円形の外周面形状を有するとともに、スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されている点について示唆するものはない。
　刊行物３には、円周上に刻印部を設けた刻印ローラーとこれとほぼ同じ径を有する押えローラーとの間に、被加工物支持刃によって支持された丸棒状被加工物を挟着し、転動する被加工物の外周に刻印ローラーの刻印部を接触させ、被加工物円周上に刻印を打刻せしめること、これにより細い丸棒状物から太さの太い被加工物に至る迄任意の太さのものに打刻を可能ならしめることが記載されており、刊行物３に記載された刻印は、本件の訂正後の請求項１に係る発明同様、刻印部分の断面はほぼ円形の外周面形状を有するとともに、外周面に沿った円形形状に形成されていることが窺えるが、刊行物３には、本件の訂正後の請求項１に係る発明のように装飾部を備えた装身具に使用されるピンをスライドのワーク受部に載置し、ダイとスライド間で転動してダイに保持した刻印工具を通過させ、スライドとダイより離脱させることによって外周面に沿った円形形状に刻印を形成するようにした点ついては何ら記載されていない。
　刊行物４には、支持枠の一方の面に固定した平面ブロックと、対向した他方の面に駆動シリンダーによって摺動可能に取付けた移動スライドに刻印ブロックを取付け、刻印ブロックと平面ブロックの間に前記中間素材を位置して移動スライドを摺動し、中間素材の外周面にヘリンダボーンみぞまたはスパイラルグループを転造加工する点が記載されており、中間素材すなわち棒状部材をダイとスライド間で転動してダイに保持した刻印工具を通過させて、外周面に沿った円形形状に刻印を形成するようにしたことが窺えるが、本件の訂正後の請求項１に係る発明のように装飾部を備えた装身具に使用されるピンをスライドのワーク受部に載置し、ダイとスライド間で転動してダイに保持した刻印工具を通過させ、スライドとダイより離脱させることによって外周面に沿った円形形状に刻印を形成するようにしたものではない。
  刊行物５には、円形の外周面形状を有する棒状部材に円形形状の外周面に沿って印を形成したものが記載されているといえるが、この印が、本件の訂正後の請求項１に係る発明のようにピンをスライドのワーク受部に載置し、ダイとスライド間で転動してダイに保持した刻印工具を通過させ、スライドとダイより離脱させることによって外周面に沿った円形形状に刻印を形成したものであるかについては明らかでない。
　以上のように、刊行物１乃至刊行物５のいずれにも本件の訂正後の請求項１に係る発明の構成である、ピンをスライドのワーク受部に載置し、ダイとスライド間で転動してダイに保持した刻印工具を通過させ、スライドとダイより離脱させることによって外周面に沿った円形形状に刻印を形成した点については何ら記載されておらず、また、これを示唆する記載もない。
　そして、本件の訂正後の請求項１に係る発明は、上記構成を有することにより訂正明細書に記載された「ピンの円筒面に膨らみ変形部が無い事から、止着具との摺動時に摩耗を生じず、また前記の変形部と平面状変形部が共に無い事から耳たぶへの装着感が優れ、又ピンの外周面に沿って刻印が成されているので、外観上もきれいなピンを得ることができる。」という格別の効果を奏するものである。
　そうすると、本件の訂正後の請求項１に係る発明は、上記刊行物１乃至刊行物５に記載された発明に基づいて、当業者が容易に発明をすることができたとすることができない。
　また、他に本件の訂正後の請求項１に係る発明が、特許出願の際独立して特許を受けることができないとする理由も見当たらない。
　したがって、本件の訂正後の請求項１に係る発明は、特許出願の際、独立して特許を受けることができるものである。
　　　
（４）本件の訂正後の請求項２に係る発明について
　上記訂正請求に係る訂正明細書の特許請求の範囲に記載された請求項２に係る発明（以下、「本件の訂正後の請求項２に係る発明」という。）と上記刊行物１乃至刊行物５に記載されたものを対比、検討する。
　上記刊行物１乃至刊行物５には、上記２−３（３）で指摘した事項は記載されているが、本件の訂正後の請求項２に係る発明の構成である、ワーク受部を有するスライドと、刻印工具を保持する保持部と離脱させる離脱部を有するダイ、より成る刻印機を構成し、ピンをワーク受部に載置した後、スライドとダイとで前記ピンを転動させて、前記ピンの外周面に沿った円形形状に刻印を形成後、前記ピンを前記離脱部より搬出させる点については何ら記載されておらず、また、それを示唆するものもない。
　そして、本件の訂正後の請求項２に係る発明は、訂正明細書に記載された「更に刻印方法もピンを転勤させて刻印するので、特に熟練を有することもなく、簡単にできるとともに、見た目にもきれいなピンとすることができる。」という格別の効果を奏するものである。
　そうすると、本件の訂正後の請求項２に係る発明は、上記刊行物１乃至刊行物５に記載された発明に基づいて、当業者が容易に発明をすることができたとすることができない。
　また、他に本件の訂正後の請求項２に係る発明が、特許出願の際独立して特許を受けることができないとする理由も見当たらない。
　したがって、本件の訂正後の請求項２に係る発明は、特許出願の際、独立して特許を受けることができるものである。
　　
２−４　むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　　
３．特許異議申立について
３−１　申立ての理由の概要
　申立人土橋博司は、甲第１号証（大新工業製作所「Fluteless press taps」カタログ）を提出し、本件の請求項１及び請求項２に係る発明についての特許は、特許法第２９条第２項の規定に違反してなされたものであり、取り消されるべき旨主張している。
　　
３−２　本件の請求項１及び請求項２に係る発明
　上記２．で示したように上記訂正が認められるから、本件の請求項１及び請求項２に係る発明は、それぞれ、上記訂正請求に係る訂正明細書の特許請求の範囲の請求項１及び請求項２に記載された事項により特定されるとおりのものである。
　　
３−３　対比・判断
　本件の請求項１に係る発明及び請求項２に係る発明と甲第１号証に記載されたものをそれぞれ対比検討する。　
　上記甲第１号証の第３頁「タッピング　スピード」の項に示された写真からみて、甲第１号証には、円形の外周面形状を有する棒状部材に円形形状の外周面に沿って印を形成したものが記載されているといえる。
　しかしながら、甲第１号証に記載された印が、本件の請求項１に係る発明の刻印のように、スライドのワーク受部に載置した前記ピンを、ダイと前記スライド間で転動して前記ダイに保持した刻印工具を通過させ、前記スライドと前記ダイより離脱させることによって前記外周面に沿った円形形状に形成されたものであるか、また、本件の請求項２に係る発明のように、ワーク受部を有するスライドと、刻印工具を保持する保持部と離脱させる離脱部を有するダイ、より成る刻印機を構成し、ピンをワーク受部に載置した後、スライドとダイとで前記ピンを転動させて、前記ピンの外周面に沿った円形形状に刻印を形成後、前記ピンを前記離脱部より搬出させることにより形成されたものであるかについては明らかでない。また、甲第１号証には、本件の請求項１に係る発明の上記構成及び本件の請求項２に係る発明の上記構成を示唆する記載もない。
  そして、本件の請求項１に係る発明及び本件の請求項２に係る発明は、それぞれ、上記２ー３（３）、（４）で指摘したとおりの格別の効果を奏するものである。
　したがって、本件の請求項１に係る発明及び本件の請求項２に係る発明は、甲第１号証に記載された発明に基づいて、当業者が容易に発明をすることができたとすることができない。
　　
３−４　むすび
　以上のとおりであるから、特許異議の申立ての理由及び証拠によっては本件の請求項１及び請求項２に係る発明についての特許を取り消すことはできない。
　また、他に本件の請求項１及び請求項２に係る発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年１月１１日（２００１．１．１１）
【訂正の要旨】
ａ．願書に添付した明細書（以下、「特許明細書」という。）の特許請求の範囲の請求項１に記載された
「【請求項１】装飾部を備えた装身具に使用され且つ外周面より凹んだ刻印部が形成されるピンに於いて、前記刻印部分の断面はほぼ円形の外周面形状を有するとともに、前記外周面に沿った円形形状に刻印が形成されていることを特徴とする刻印付き装身具用部品。」を
「【請求項１】装飾部を備えた装身具に使用され且つ外周面より凹んだ刻印部が形成されるピンに於いて、前記刻印部分の断面はほぼ円形の外周面形状を有するとともに、スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されていることを特徴とする刻印付き装身具用部品。」と訂正する。
ｂ．特許明細書の特許請求の範囲の請求項２に記載された
「【請求項２】装飾部を備えた装身具に使用され且つ外周面より凹んだ刻印部が形成されるピンの刻印形成方法に於いて、ワーク受部を有するスライドと、刻印工具を保持するダイより構成される刻印機を構成し、ピンをワーク受部に載置した後、スライドとダイとで前記ピンを転動させて、前記ピンの外周面に沿った円形形状に刻印を形成することを特徴とする装身具用部品の刻印形成方法。」を「【請求項２】装飾部を備えた装身具に使用され且つ外周面より凹んだ刻印部が形成されるピンの刻印形成方法に於いて、ワーク受部を有するスライドと、刻印工具を保持する保持部と離脱させる離脱部を有するダイ、より成る刻印機を構成し、ピンをワーク受部に載置した後、スライドとダイとで前記ピンを転動させて、前記ピンの外周面に沿った円形形状に刻印を形成後、前記ピンを前記離脱部より搬出させることを特徴とする装身具用部品の刻印形成方法。」と訂正する。
ｃ．特許明細書の課題を解決するための手段の項に記載された
「〔課題を解決するための手段〕
　上記目的を達成する為の本発明の要旨は、装身具のピンの刻印部分の断面は、ほぼ円形の外周面形状を有するとともに、前記外周面に沿った円形形状に刻印が形成されている装身具用部品であり、その部品であるピンへの刻印方法として、ワーク受部を有するスライドと、刻印工具を保持するダイより構成される刻印機によって、ピンをワーク受部に載置した後、スライドとダイとで前記ピンを転動させて、前記ピンの外周面に沿った円形形状に刻印を形成するものである。」を
「〔課題を解決するための手段〕
　上記目的を達成する為の本発明の要旨は、装身具のピンの刻印部分の断面は、ほぼ円形の外周面形状を有するとともに、スライドのワーク受部に載置した前記ピンを、ダイと前記スライド間で転動して前記ダイに保持した刻印工具を通過させ、前記スライドと前記ダイより離脱させることによって前記外周面に沿った円形形状に刻印が形成されている装身具用部品であり、その部品であるピンヘの刻印方法として、ワーク受部を有するスライドと、刻印工具を保持する保持部と離脱させる離脱部を有するダイ、より成る刻印機によって、ピンをワーク受部に載置した後、スライドとダイとで前記ピンを転動させて、前記ピンの外周面に沿った円形形状に刻印を形成後、前記ピンを前記離脱部より搬出させる構成を有するものである。」と訂正をする。
（５４）【発明の名称】
刻印付き装身具用部品とその刻印形成方法
（５７）【特許請求の範囲】
　【請求項１】装飾部を備えた装身具に使用され且つ外周面より凹んだ刻印部が形成されるピンに於いて、前記刻印部分の断面はほぼ円形の外周面形状を有するとともに、
スライドのワーク受部に載置した前記ピンを、ダイと前記スライド間で転動して前記ダイに保持した刻印工具を通過させ、前記スライドと前記ダイより離脱させることによって
　【請求項２】装飾部を備えた装身具に使用され且つ外周面より凹んだ刻印部が形成されるピンの刻印形成方法に於いて、ワーク受部を有するスライドと、刻印工具を保持する
保持部と離脱させる離脱部を有するダイ、より成る
後、前記ピンを前記離脱部より搬出させる
【発明の詳細な説明】
〔産業上の利用分野〕
　本発明は刻印を有する装身具用のピンに関するものであり、更にそのピンヘの刻印の形成方法に関するものである。
〔従来の技術〕
　従来より装身具用部品としてのピンにはメーカー名とか、材質名とかの刻印がなされている。
　以下、装身具としてピアスを例に取って説明する。
　第２図はピアスの全体構成の一例を示す。ピアスは、宝玉石や貴金属その他これらの模造品が使用される装飾部品１と、装飾部品を固定して且つ刻印３と溝部４とを有するピン２と、貫通孔６と屈折片７とを有する止着具５から構成され、人の耳用装飾品として用いられる。
　その作用を次に説明する。第２図に示すように一端に装飾部品１を固定したピン２を人等の耳たぶ２１に予め設けた小さな耳たぶ貫通孔２２に耳たぶ表側から挿通し、耳たぶ裏側に突出したピン２の先端部を、止着具５の貫通孔６に貫通し更に屈曲片接点部８を押し拡げて溝部４が屈曲片接点部８を通過するまで挿入し、装飾部品１と止着具５によって耳たぶを挟むように装着して装飾の用に供する。
　ところで、従来の刻印は第４図（イ）、（ロ）、（ハ）に示すようにピン２へ刻印３を施した時刻印凹部１３の形成とともに刻印の周辺に変形部を伴う。その変形は、刻印工具による平面状の圧痕である平面状変形部１２と圧痕周辺の円筒部の膨らみ変形１１から成る。また刻印の形成方法は、第５図に示すように固定支持台１６上に安定して置かれた被加工のピン２に、刻印突起部１５を有する刻印工具１４を上方から押しつける事によって行なう。従って刻印を明瞭に形成する為には必然的に刻印の周辺に前記の変形を伴う。
〔発明が解決しようとする課題〕
　しかしながら、第４図（イ）、（ロ）に示すように刻印部に膨らみ変形部１１や平面状変形部１２を有していると、耳たぶに挿通した際に異物感を生じ装用感を損なう事と膨らみ変形部１１が止着具貫通孔６を摺動ずる際に変形突出した部分が摩滅し易い等の欠点がある。
　本発明の目的は、前記の欠点を解消する事によって装用感を向上させることにあるる。
〔課題を解決するための手段〕
　上記目的を達成する為の本発明の要旨は、装身具のピンの刻印部分の断面は、ほぼ円形の外周面形状を有するとともに、
スライドのワーク受部に載置した前記ピンを、ダイと前記スライド間で転動して前記ダイに保持した刻印工具を通過させ、前記スライドと前記ダイより離脱させることによって
保持部と離脱させる離脱部を有するダイ、より成る
後、前記ピンを前記離脱部より搬出させる構成を有する
〔実施例〕
　以下本発明の実施例を図面に基づいて説明する。第１図はピアス用ピンの形状３を示すもので、その構成は正面図（イ）のように左端に装飾部品取付部２３を有しその右側に刻印３を更に右端近傍に溝部４を有するものである。また前記の刻印３はＡ−Ａ断面図（ロ）に示す刻印による凹部９のようにピン２の円筒面に沿って凹状に形成されている。
　第３図はピアス用ピンの他の実施例を示すもので、その構成は正面図（イ）のように左端に装飾部品取付部２３を有しその右側に刻印３を更に右端近傍に溝部４を有するものであり、刻印３はＢ−Ｂ断面図（ロ）に示す刻印による凹部９のようにピン１０の円筒面に沿って凹状に形成されている。第１図との相違は装飾部品取付部２３の部分にツバ部２５を有する形状が異なる点である。
　第６図は刻印形成機の部分断面の説明図を示す。刻印形成機の主要部はダイ１８と、ダイ１８に内蔵されダイ１８の左側面に刻印突起部１５を突出するよう固定された転造刻印工具１９と、ダイ１８の左側面に沿って上下方向に可動のスライド１７とから構成される。以下、図に依って刻印の形成方法を説明する。刻印を形成しようとするピン２をスライド１７のワーク受け部２４の上に置きスライド１７を下降させると、ピン２はスライド１７とダイ１８とに加圧挟持されてダイ１８の左側面を転動下降する。続けてスライド１７を下降させるとピン２は加圧挟持されたまま刻印突起部１５を通過する。この時刻印突起部１５に依ってピン２の円筒面に沿って刻印による凹部９が形成されるが、ピン２が加圧挟持されて転動ずる為に、刻印周辺の円筒面には第４図（イ）、（ロ）に示したような膨らみ変形部１１や平面状変形部１２を生じない。更にスライド１７を下降させると、転造刻印後のピン２０はダイ１８の左側面から外れて刻印形成機より離脱し刻印形成の工程を終了する。
〔発明の効果〕
　ピンの円筒面に膨らみ変形部が無い事から、止着具との摺動時に摩耗を生じず、また前記の変形部と平面状変形部が共に無い事から耳たぶへの装着感が優れ、又ピンの外周面に沿って刻印が成されているので、外観上もきれいなピンを得ることができる。更に刻印方法もピンを転動させて刻印するので、特に熟練を有することもなく、簡単にできるとともに、見た目にもきれいなピンとすることができる。
【図面の簡単な説明】
第１図（イ）、（ロ）は本発明による刻印付きピンの形状を示し、（イ）は正面図、（ロ）はＡ−Ａ断面図、第２図はピアスの全体構成を示す説明図、第３図（イ）、（ロ）はピアス用刻印付きピンの他の実施例を示し、（イ）は正面図、（ロ）はＢ−Ｂ断面図、第４図（イ）〜（ハ）は従来例の刻印付きピンの形状を示し、（イ）は正面図、（ロ）は側面図、（ハ）はＣ−Ｃ断面図、第５図は従来例の刻印付きピンの刻印加工方法を示す説明図、第６図は本発明によるピンの刻印加工方法を示す説明図である。
１……装飾部品、２……ピン、３……刻印、４……溝部、５……止着具、６……貫通孔、７……屈曲片、８……屈曲部接点、９……凹部、１０……ピン、１１……膨らみ変形部、１２……平面状変形部、１３……刻印凹部、１４……刻印工具、１５……刻印突起部、１６……固定支持台、１７……スライド、１８……ダイ、１９……転造刻印工具、２０……ピン、２１……耳たぶ、２２……耳たぶ貫通孔、２３……装飾部品取付部。